(57)【要約】【課題】応答性良く予備ブレーキ圧を印加すること。【解決手段】前後の旋回外輪ＷＦＬ，ＷＲＬ（ＷＦＲ，ＷＲＲ）の内の少なくとも一方に制動制御量を発生させることで車両１０の挙動を安定させる車両挙動安定化制御を行う場合、その制動制御量を前後夫々の旋回外輪ＷＦＬ，ＷＲＬ（ＷＦＲ，ＷＲＲ）に発生させる条件が成立した場合に、前後の旋回内輪ＷＦＲ，ＷＲＲ（ＷＦＬ，ＷＲＬ）の内の少なくとも一方に対して予備ブレーキ圧を印加すること。その予備ブレーキ圧の印加は、車両挙動安定化制御の実行中に今の車両１０の旋回動作とは逆向きの操舵操作が検知されたときに実行する。【選択図】図１
2013028201.tif 000002
【特許請求の範囲】
【請求項１】
前後の旋回外輪の内の少なくとも一方に制動制御量を発生させることで車両の挙動を安定させる車両挙動安定化制御を行う場合、該制動制御量を前後夫々の旋回外輪に発生させる条件が成立した場合に、前後の旋回内輪の内の少なくとも一方に対して予備ブレーキ圧を印加することを特徴とした車両挙動制御装置。
【請求項２】
前記予備ブレーキ圧の印加は、前記車両挙動安定化制御の実行中に今の車両の旋回動作とは逆向きの操舵操作が検知されたときに実行する請求項１記載の車両挙動制御装置。
【請求項３】
前記車両挙動安定化制御がオーバーステア抑制制御の場合、前側の旋回内輪に対して前記予備ブレーキ圧の印加を行う請求項１又は２に記載の車両挙動制御装置。
【発明の詳細な説明】
【技術分野】
【０００１】
本発明は、ステアリングホイールがステアリングセンタに対して左右交互に連続して操舵操作（切り返し操舵）された際の車両の挙動を安定させる車両挙動制御装置に関する。
【背景技術】
【０００２】
車体は、操舵操作が行われて旋回動作に移ると、旋回外輪側のサスペンションが沈み込んでロール運動を始める。一般に、切り返し操舵が行われた場合、ロール量は、ステアリングセンタからの１回目の操舵操作時と比べて、２回目以降の操舵操作時の方が大きくなる傾向にある。これは、例えば切り返し操舵で２回目の操舵操作が行われることによって、１回目の操舵操作で沈み込んでいるサスペンションに戻り方向（つまり伸び方向）の力が発生すると共に横加速度が素早く逆方向へと切り替わり、１回目の操舵操作によるロール運動が逆方向のロール運動へと一気に移り変わってロールモーメントを大きくするからである。その際には、ヨー運動についても２回目の操舵操作に呼応して逆方向へと一気に移り変わり、１回目の操舵操作が為されたときよりも大きなヨーモーメントが車体に作用する。
【０００３】
従来、そのような２回目以降の操舵操作が行われたときに発生するヨーモーメントが過大である場合に、そのヨーモーメントを軽減させるべく逆方向のヨーモーメントを車体に作用させ、過大なロール量（ロールモーメント）を抑えつつ車両の挙動を安定した状態のままに保たせ続ける車両挙動制御装置が知られている。この車両挙動制御装置は、ブレーキアクチュエータを制御し、その逆方向のヨーモーメントを旋回外輪の内の少なくとも一方に加えた制動力によって発生させる。その際、この車両挙動制御装置は、次の逆向きの操舵操作によって新たに旋回外輪となる今現在旋回内輪になっている前後の車輪の内の少なくとも一方に予めブレーキ液圧（以下、「予備ブレーキ圧」という。）を印加しておき、その車輪が実際に旋回外輪となって制動力の発生を必要とするときに応答性良く制動力を加えることができるように制御する。その予備ブレーキ圧は、ブレーキアクチュエータを制御して発生させる。以下、その予備ブレーキ圧を加える制御のことを「予備ブレーキ圧制御」という。
【０００４】
例えば、下記の特許文献１及び２には、この種の車両挙動制御装置について開示されている。この特許文献１の車両挙動制御装置は、旋回外輪の内の少なくとも一方に制動力を発生させることでオーバーステアの抑制制御を行うものであり、この抑制制御中に反旋回方向への操舵操作が検知された場合、その操舵操作に伴い次に旋回外輪となる今の旋回内輪の内の少なくとも一方に予備ブレーキ圧を加えている。また、特許文献２の車両挙動制御装置は、挙動制御輪の自動ブレーキにより車両水平面挙動制御を行うものであり、現在の挙動制御輪及びヨーレート偏差の変化傾向の組合せに応じて次の挙動制御輪を予測し、この車輪のみを予備ブレーキ圧を加える予圧制御対象輪とするものである。
【先行技術文献】
【特許文献】
【０００５】
【特許文献１】特開２００８−２５４７２４号公報
【特許文献２】特開平１１−２２７５８６号公報
【発明の概要】
【発明が解決しようとする課題】
【０００６】
予備ブレーキ圧制御は、実際の車両の挙動や運転者の切り返し操舵の検知を契機にして実施する方法でも一定の効果を得ることができる。しかしながら、急な切り返し操舵が行われる状況等においては、予備ブレーキ圧制御の出力が間に合わず又は出力不足となり、十分な効果を得られない可能性がある。
【０００７】
また、そのような検知された実際の車両の挙動や運転者の切り返し操舵に基づく予備ブレーキ圧制御では、閾値の設定によって応答性を確保することも可能ではあるが、実際の車両の挙動等の誤判定による不要な作動を招く虞がある。
【０００８】
そこで、本発明は、かかる従来例の有する不都合を改善し、急操舵等の素早い予備ブレーキ圧の出力が必要とされるときにも応答性良く予備ブレーキ圧を印加できる車両挙動制御装置を提供することを、その目的とする。
【課題を解決するための手段】
【０００９】
上記目的を達成する為、本発明は、前後の旋回外輪の内の少なくとも一方に制動制御量を発生させることで車両の挙動を安定させる車両挙動安定化制御を行う場合、該制動制御量を前後夫々の旋回外輪に発生させる条件が成立した場合に、前後の旋回内輪の内の少なくとも一方に対して予備ブレーキ圧を印加することを特徴としている。
【００１０】
ここで、予備ブレーキ圧の印加は、前記車両挙動安定化制御の実行中に今の車両の旋回動作とは逆向きの操舵操作が検知されたときに実行することが望ましい。
【００１１】
前記車両挙動安定化制御がオーバーステア抑制制御の場合、前側の旋回内輪に対して前記予備ブレーキ圧の印加を行うことが望ましい。
【発明の効果】
【００１２】
本発明に係る車両挙動制御装置は、切り返し操舵に伴う車両の挙動を検知する前に予備ブレーキ圧制御を行うので、運転者の切り返し操舵によって車体の旋回方向が反転する前に予備ブレーキ圧を印加しておくことができる。従って、この車両挙動制御装置に依れば、車体の旋回方向が反転して車両挙動安定化制御を行う際に、予備ブレーキ圧の印加されている新たな旋回外輪に対して車両挙動安定化制御の為の制動制御量を応答性良く発生させることができる。特に、この車両挙動制御装置は、切り返し操舵が急操舵である等の素早い予備ブレーキ圧の出力が必要とされるときにも、その予備ブレーキ圧を素早く出力させ、旋回方向反転後に応答性良く車両挙動安定化制御の為の制動制御量を出力させることができる。故に、この車両挙動制御装置は、車両挙動安定化制御の制御性能を向上させることができる。
【図面の簡単な説明】
【００１３】
【図１】図１は、本発明に係る車両挙動制御装置の適用対象たる車両の一例を示す図である。
【図２】図２は、ブレーキアクチュエータの一例を示す図である。
【図３】図３は、実施例の車両挙動制御装置による見込み予備ブレーキ圧制御の大まかな流れを説明するフローチャートである。
【図４】図４は、実施例の車両挙動制御装置による予備ブレーキ圧制御を説明するフローチャートである。
【図５】図５は、図４のフローチャートの続きを説明するフローチャートである。
【発明を実施するための形態】
【００１４】
以下に、本発明に係る車両挙動制御装置の実施例を図面に基づいて詳細に説明する。尚、この実施例によりこの発明が限定されるものではない。
【００１５】
［実施例］
本発明に係る車両挙動制御装置の実施例１を図１から図５に基づいて説明する。
【００１６】
本実施例の車両挙動制御装置は、図１に示す電子制御装置（ＥＣＵ）１の一機能として用意されたものとする。
【００１７】
［車両］
最初に、この車両挙動制御装置が適用される車両１０の一例を図１に示す。
【００１８】
この車両１０には、運転者の操舵操作によって操舵輪ＷＦＬ，ＷＦＲを転舵させる操舵システムが用意されている。この操舵システムは、運転者が操作するステアリングホイール２１と、このステアリングホイール２１に連結されたステアリングシャフト２２と、このステアリングシャフト２２の操舵トルクを左右の操舵輪ＷＦＬ，ＷＦＲ側へと伝達する操舵トルク伝達装置２３と、この操舵トルク伝達装置２３と各操舵輪ＷＦＬ，ＷＦＲとの間を連結するタイロッド２４Ｌ，２４Ｒと、運転者によるステアリングホイール２１の操舵操作量を検出する操舵操作量検出装置２５と、を備えている。その操舵トルク伝達装置２３とは、所謂ラック＆ピニオン機構のことである。
【００１９】
操舵操作量とは、例えば操舵角度δのことである。操舵操作量検出装置２５は、ステアリングシャフト２２の回転角度から操舵角度δの検出を行い、その検出信号を電子制御装置１に送信する。操舵角度δは、ステアリングホイール２１が中立位置（ステアリングセンタ）から反時計回り（左旋回方向）に操舵操作されたときに正の値として検出され、ステアリングセンタから時計回りに操舵操作されたときに負の値として検出されるものとする。その電子制御装置１においては、操舵角度δの時間経過による変化量に基づいて操舵角速度ωｓｔｒの演算を行う（ωｓｔｒ＝ｄδ／ｄｔ）。従って、その操舵角速度ωｓｔｒについては、ステアリングホイール２１が反時計回りに操舵操作されたときに正の値となり、時計回りに操舵操作されたときに負の値となる。
【００２０】
尚、ここではステアリングホイール２１と操舵輪ＷＦＬ，ＷＦＲとの間が機械的に接続されている操舵システムについて例示するが、操舵システムは、その間に機械的な接続が無い所謂ステアバイワイヤ方式のものであってもよい。
【００２１】
また、この車両１０には、図示しないエンジンやモータ等の動力源が設けられている。この車両１０は、その動力源の動力を駆動輪に駆動力として伝達して走行する。そして、この車両１０には、その走行中の車両１０を停止又は減速させる制動システムが用意されている。その制動システムは、夫々の車輪ＷＦＬ，ＷＦＲ，ＷＲＬ，ＷＲＲに対して個別の大きさで目標制動制御量（目標車輪制動トルク、目標車輪制動力）を発生させることができるよう構成されている。ここでは、ブレーキ液圧の力を利用して係合要素間に摩擦力を発生させ、これにより車輪ＷＦＬ，ＷＦＲ，ＷＲＬ，ＷＲＲに目標制動制御量を働かせるものについて例示する。
【００２２】
先ず、この制動システムは、図１及び図２に示す如く、運転者が操作するブレーキペダル３１と、このブレーキペダル３１に入力されたブレーキ操作に伴う操作圧力（ペダル踏力）を所定の倍力比で倍化させる制動倍力装置（ブレーキブースタ）３２と、この制動倍力装置３２により倍化されたペダル踏力をブレーキペダル３１の操作量に応じたブレーキ液圧（以下、「マスタシリンダ圧」という。）へと変換するマスタシリンダ３３と、ブレーキ液を貯留するリザーバタンク３４と、を備えている。これらブレーキペダル３１や制動倍力装置３２等は、運転者によるブレーキペダル３１の操作量に応じたブレーキ液圧を発生させる液圧発生装置として機能する。
【００２３】
また、この制動システムには、図１及び図２に示す如く、マスタシリンダ圧を各車輪ＷＦＬ，ＷＦＲ，ＷＲＬ，ＷＲＲ毎に調節可能な液圧調節装置（以下、「ブレーキアクチュエータ」という。）３５と、このブレーキアクチュエータ３５を経たブレーキ液圧（マスタシリンダ圧又はマスタシリンダ圧を調圧したブレーキ液圧）が各々液圧配管３６ＦＬ，３６ＦＲ，３６ＲＬ，３６ＲＲを介して供給され、夫々の車輪ＷＦＬ，ＷＦＲ，ＷＲＬ，ＷＲＲに制動制御量（車輪制動トルク、車輪制動力）を発生させる制動装置３７ＦＬ，３７ＦＲ，３７ＲＬ，３７ＲＲと、が設けられている。
【００２４】
制動装置３７ＦＬ，３７ＦＲ，３７ＲＬ，３７ＲＲは、車輪ＷＦＬ，ＷＦＲ，ＷＲＬ，ＷＲＲと一体になって回転する部材に対して摩擦力を加え、これにより車輪ＷＦＬ，ＷＦＲ，ＷＲＬ，ＷＲＲの回転を抑えて制動動作を行う摩擦ブレーキ装置であって、例えばディスクロータやキャリパ等からなる。この制動装置３７ＦＬ，３７ＦＲ，３７ＲＬ，３７ＲＲは、ブレーキアクチュエータ３５から送られてきたマスタシリンダ圧又は調圧後のブレーキ液圧に応じた大きさの制動制御量を発生させる。以下においては、そのマスタシリンダ圧によって発生する制動制御量のことを夫々「マスタ圧制動制御量」という。また、そのマスタシリンダ圧を加圧した調圧後のブレーキ液圧によって発生する制動制御量のことを夫々「加圧制動制御量」という。
【００２５】
本実施例のブレーキアクチュエータ３５は、右前輪ＷＦＲ及び左後輪ＷＲＬに対してブレーキ液圧を伝える第１液圧系統と、左前輪ＷＦＬ及び右後輪ＷＲＲに対してブレーキ液圧を伝える第２液圧系統と、を備えたものとして例示する。つまり、このブレーキアクチュエータ３５は、Ｘ配管のブレーキ液圧回路を有する構造になっている。このブレーキアクチュエータ３５は、電子制御装置１の制御指令に従って作動する。
【００２６】
ここで、マスタシリンダ３３の内部には図示しない２つの油圧室が設けられており、その夫々の油圧室に上記のマスタシリンダ圧が発生している。第１液圧系統においては、マスタシリンダ３３の一方の油圧室のブレーキ液圧（マスタシリンダ圧）が第１液圧配管３８を介してブレーキアクチュエータ３５に供給され、このブレーキアクチュエータ３５がブレーキ液圧をマスタシリンダ圧のまま又は調圧して右前輪ＷＦＲ及び左後輪ＷＲＬの制動装置３７ＦＲ，３７ＲＬに供給する。一方、第２液圧系統においては、他方の油圧室のブレーキ液圧（マスタシリンダ圧）が第２液圧配管３９を介してブレーキアクチュエータ３５に供給され、このブレーキアクチュエータ３５がブレーキ液圧をマスタシリンダ圧のまま又は調圧して左前輪ＷＦＬ及び右後輪ＷＲＲの制動装置３７ＦＬ，３７ＲＲに供給する。
【００２７】
このブレーキアクチュエータ３５には、マスタシリンダ圧の検出を行うマスタシリンダ圧センサ４１が設けられている。このマスタシリンダ圧センサ４１は、第１又は第２の液圧配管３８，３９の内の何れか一方に配備され、その検出信号を電子制御装置１に送信する。ここでは、そのマスタシリンダ圧センサ４１を第１液圧配管３８に設けるものとして例示する。
【００２８】
また、このブレーキアクチュエータ３５は、第１及び第２の液圧系統に各々マスタカット弁４２，４３を備えている。ここでは、マスタシリンダ圧センサ４１の下流にマスタカット弁４２を配設する。これら各マスタカット弁４２，４３は、所謂常開式のブレーキ液の流量調整用電磁弁であって、非通電時に開弁状態にあり、電子制御装置１による通電に伴って弁開度の制御が実行されるものである。夫々のマスタカット弁４２，４３は、通電量に応じて弁開度を制御することで、後述する加圧ポンプ６９，７０から吐出されたブレーキ液の圧力を調節し、これをマスタシリンダ３３側へ開放する。尚、この実施例にて示す下流とは、ペダル操作時のブレーキ液の流動方向（つまり、制動装置３７ＦＬ，３７ＦＲ，３７ＲＬ，３７ＲＲへと向かう方向）における下流側のことを表すものとする。
【００２９】
このブレーキアクチュエータ３５においては、第１液圧配管３８がマスタカット弁４２を介して連結通路４４に接続される一方、第２液圧配管３９がマスタカット弁４３を介して連結通路４５に接続される。そして、第１液圧系統の連結通路４４には、そこから分岐させるが如く２本の分岐通路４６，４７を接続し、第２液圧系統の連結通路４５には、そこから分岐させるが如く２本の分岐通路４８，４９を接続する。第１液圧系統においては、その各々の分岐通路４６，４７を夫々に右前輪ＷＦＲの液圧配管３６ＦＲと左後輪ＷＲＬの液圧配管３６ＲＬに接続する。一方、第２液圧系統においては、その各々の分岐通路４８，４９を夫々に右後輪ＷＲＲの液圧配管３６ＲＲと左前輪ＷＦＬの液圧配管３６ＦＬに接続する。
【００３０】
また、その各分岐通路４６，４７，４８，４９上には、夫々の制動装置３７ＦＬ，３７ＦＲ，３７ＲＬ，３７ＲＲ毎のブレーキ液圧を調整可能な液圧調圧装置が車輪ＷＦＬ，ＷＦＲ，ＷＲＬ，ＷＲＲ毎に配設されている。その夫々の液圧調圧装置は、車輪ＷＦＬ，ＷＦＲ，ＷＲＬ，ＷＲＲ毎に用意された保持弁５０，５１，５２，５３と液圧排出通路５４，５５，５６，５７と減圧弁５８，５９，６０，６１とで構成される。ここでは、各分岐通路４６，４７，４８，４９上に保持弁５０，５１，５２，５３が各々配備されており、更に、これら各保持弁５０，５１，５２，５３よりも下流側に液圧排出通路５４，５５，５６，５７が夫々に分岐通路４６，４７，４８，４９から分岐させるが如く接続されている。そして、その各液圧排出通路５４，５５，５６，５７上には、夫々に減圧弁５８，５９，６０，６１が配備されている。
【００３１】
その夫々の保持弁５０，５１，５２，５３は、所謂常開式の電磁弁であって、非通電時に開弁状態にあり、電子制御装置１による通電に伴って閉弁させられるものである。一方、各減圧弁５８，５９，６０，６１は、所謂常閉式の電磁弁であって、非通電時に閉弁状態にあり、電子制御装置１による通電に伴って開弁させられるものである。
【００３２】
また、ここでは、第１液圧系統の夫々の液圧排出通路５４，５５を一纏めにする液圧排出集合通路６２と、第２液圧系統の夫々の液圧排出通路５６，５７を一纏めにする液圧排出集合通路６３と、が用意されている。その夫々の液圧排出集合通路６２，６３は、各々補助リザーバ６４，６５に接続されている。
【００３３】
更に、第１液圧系統においては、連結通路４４と各分岐通路４６，４７との分岐点から分岐して液圧排出集合通路６２に接続されるポンプ通路６６を配設する。これと同様に、第２液圧系統においては、連結通路４５と各分岐通路４８，４９との分岐点から分岐して液圧排出集合通路６３に接続されるポンプ通路６７を配設する。
【００３４】
その夫々のポンプ通路６６，６７には、電動機６８によって駆動される加圧ポンプ（加圧装置）６９，７０を各々配備している。これら各加圧ポンプ６９，７０は、夫々にマスタカット弁４２，４３側の各分岐点に向けてブレーキ液を吐出させるものであり、夫々に分岐通路４６，４７と分岐通路４８，４９に対して加圧されたブレーキ液圧を供給する。つまり、第１液圧系統の加圧ポンプ６９は、右前輪ＷＦＲと左後輪ＷＲＬに発生させる制動力を増大させるべく、夫々の制動装置３７ＦＲ，３７ＲＬに供給するブレーキ液圧の増圧を行う。一方、第２液圧系統の加圧ポンプ７０は、左前輪ＷＦＬと右後輪ＷＲＲに発生させる制動力を増大させるべく、夫々の制動装置３７ＦＬ，３７ＲＲに供給するブレーキ液圧の増圧を行う。尚、電動機６８は、図示しないバッテリからの電力供給により駆動する。また、その各ポンプ通路６６，６７には、加圧ポンプ６９，７０から吐出された夫々のブレーキ液の脈動を回避するダンパ室７１，７２が配設されている。
【００３５】
また、このブレーキアクチュエータ３５には、第１及び第２の液圧配管３８，３９から各々分岐して補助リザーバ６４，６５に夫々接続される吸入通路７３，７４が配設されており、更に、その夫々の吸入通路７３，７４の補助リザーバ６４，６５側にリザーバカット逆止弁７５，７６が配設されている。
【００３６】
このように構成した本実施例の制動システムは、その動作が上述したように電子制御装置１によって制御され、ＡＢＳ（アンチロック・ブレーキ・システム）制御やＶＳＣ（ビークル・スタビリティ・コントロール）制御等を行うことができる。例えば、電子制御装置１は、運転者のブレーキペダル３１の操作量や後述する車両挙動制御装置からの要求値に基づいて制御対象輪の目標制動制御量を設定する。この電子制御装置１は、マスタ圧制動制御量が目標制動制御量に対して不足していれば、その不足分を補うことが可能な制御対象輪の目標ブレーキ液圧を求める。そして、この電子制御装置１は、その目標ブレーキ液圧に基づきブレーキアクチュエータ３５を制御し、マスタシリンダ圧の加圧を行って、その目標制動制御量を満足させる加圧制動制御量を制御対象輪の制動装置３７ＦＬ（３７ＦＲ，３７ＲＬ，３７ＲＲ）に発生させる。
【００３７】
［車両挙動制御装置］
また、本実施例の電子制御装置１には、前述したように、その一機能として車両挙動制御装置が用意されている。この車両挙動制御装置は、旋回中の車両１０の挙動を安定させる為の車両挙動安定化制御を行う。
【００３８】
具体的に、この車両挙動制御装置は、旋回中にブレーキアクチュエータ３５を制御し、前後の旋回外輪の内の少なくとも一方に制動制御量（車輪制動トルク、車輪制動力）を発生させることで、旋回中の車両１０の挙動を安定させる。例えば、この車両挙動制御装置は、その旋回外輪に対する制動制御によって、旋回動作に伴い車体に作用しているヨーモーメントとは逆方向のヨーモーメントを車体に発生させ、旋回中の車両１０に対してオーバーステアの抑制制御（所謂スピン制御）を行うことで、オーバーステア傾向を示す車体をニュートラルステアに近づける。そのスピン制御においては、前側の旋回外輪に目標制動制御量ＦＦｏｕｔ０を発生させる。また、スピン制御においては、後側の旋回外輪にも目標制動制御量ＦＲｏｕｔ０を発生させる場合がある。この場合には、前側の旋回外輪の目標制動制御量ＦＦｏｕｔ０を後側の旋回外輪の目標制動制御量ＦＲｏｕｔ０よりも大きくする。
【００３９】
そのスピン制御における旋回外輪に対する制動制御は、運転者が操舵操作を行った際の車両１０の旋回動作におけるロールモーメントやヨーモーメントの大きさに応じて実行される。ここで、運転者は、ステアリングセンタを起点にした１回目の操舵操作を行い、この操舵操作に続く１回目とは逆向きのステアリングセンタを超えた２回目の操舵操作を行う様に、ステアリングホイール２１をステアリングセンタに対して左右交互に２回以上連続して操舵操作する切り返し操舵を行う場合がある。例えば、切り返し操舵を行う場面とは、旋回方向が左右交互に連続している旋回路を走行する場面やスラローム走行する場面等が該当する。そして、この切り返し操舵が行われると、車両１０においては、切り返し操舵時の２回目以降の操舵操作が行われたときに、１回目の操舵操作時よりも車体に過大なロールモーメントとヨーモーメントが作用する可能性がある。これが為、スピン制御は、運転者がステアリングセンタを起点にした１回目の操舵操作を行ったときに実行されることもあるが、切り返し操舵時の２回目以降の操舵操作が行われたときに実行される可能性が高い。例えば、車両挙動制御装置は、その切り返し操舵によって今とは逆向きのステアリングセンタを超えた操舵操作が行われ、車体の旋回方向が逆向きになった際に、その車体に過大なロールモーメントとヨーモーメントが作用しないように制御を行う。その際には、新たな前後の旋回外輪の内の少なくとも一方に制動制御量を発生させ、そのヨーモーメントとは逆方向のヨーモーメントを車体に発生させることで、過大なロール量を抑えつつ車両１０の挙動を安定させたまま旋回させることができる。
【００４０】
ここで、例えば、切り返し操舵の１つ前の操舵操作におけるステアリングホイール２１の操舵角度δが大きく、また、１つ前の操舵操作からの切り返し操舵の際の操舵角速度ωｓｔｒが速い場合、切り返し操舵による旋回方向の反転によって車体に作用するロールモーメントやヨーモーメントは、１つ前の操舵操作の操舵角度δが小さく、また、１つ前の操舵操作からの切り返し操舵の操舵角速度ωｓｔｒが遅い場合よりも大きくなる。そして、その操舵角度δが所定値以上で、且つ、操舵角速度ωｓｔｒが所定値以上のときには、旋回外輪の制動制御量ＦＦｏｕｔで発生させるべきヨーモーメントが大きいので、旋回方向が反転した後の前後夫々の旋回外輪にスピン制御の為の制動制御量ＦＦｏｕｔ，ＦＲｏｕｔを発生させなければならない可能性がある。これに対して、その操舵角度δが所定値よりも小さく、且つ、操舵角速度ωｓｔｒが所定値よりも遅いときには、操舵角度δが所定値以上、且つ、操舵角速度ωｓｔｒが所定値以上のときと比べて、旋回外輪の制動制御量で発生させるべきヨーモーメントが小さいので、前側の旋回外輪だけにスピン制御の為の制動制御量ＦＦｏｕｔを発生させればよい。尚、その夫々の所定値は、例えば車両重心位置等により変わる閾値であり、車種毎に異なる。
【００４１】
このことから、この車両挙動制御装置は、旋回方向の反転と共に新たに旋回外輪となる制御対象輪が制動制御量を応答性良く発生させることができるように、旋回外輪となる以前の旋回内輪の状態で予備ブレーキ圧制御を行うことが好ましい。予備ブレーキ圧は、その制動制御量を前後夫々の旋回外輪に発生させる条件が成立した場合に、その旋回内輪の内の少なくとも前後何れか一方に印加する。
【００４２】
具体的に、前後夫々の旋回外輪にスピン制御の為の制動制御量ＦＦｏｕｔ，ＦＲｏｕｔを発生させる必要がある場合には、急な切り返し操舵でも応答性良くスピン制御を行う為に、その前後夫々の旋回外輪が１つ前の操舵操作で未だ旋回内輪になっているうちに予備ブレーキ圧を加えておくことが望ましい。但し、予備ブレーキ圧制御を開始する時点では、その１つ前の操舵操作の後に行われた逆向きの操舵操作が、ステアリングセンタを超えた切り返し操舵であるのか、それとも、ステアリングセンタまでの戻し操作であるのかを正確に判別し難い。そして、スピン制御においては、概ね前側の旋回外輪にスピン制御の為の制動制御量ＦＦｏｕｔを発生させるだけで十分車両挙動を安定させることができ、後側の旋回外輪にまでスピン制御の為の制動制御量ＦＲｏｕｔを発生させるような過大なロールモーメントとヨーモーメントが作用する頻度は低い。これが為、制御対象輪となる頻度の低い後側の旋回外輪にまで予備ブレーキ圧を印加してしまうと、加圧ポンプ６９（７０）の駆動による燃費の悪化を招き好ましくない。
【００４３】
そこで、本実施例においては、後側の旋回外輪にスピン制御の為の制動制御量ＦＲｏｕｔを今現在発生させている場合、今のスピン制御と同様のスピン制御の実行が切り返し操舵に伴う旋回方向の反転時に求められる可能性があり、前後夫々の旋回外輪にスピン制御の為の制動制御量ＦＦｏｕｔ，ＦＲｏｕｔを発生させなければならない可能性もあるが、逆向きの操舵操作が切り返し操舵ではなく戻し操作であったときの燃費の悪化を鑑みて、旋回方向が反転したときに前側の旋回外輪となる今の前側の旋回内輪のみに予備ブレーキ圧を印加する。つまり、本実施例の車両挙動制御装置は、後側の旋回外輪にスピン制御の為の制動制御量ＦＲｏｕｔを発生させたときに、この後車体の旋回方向が実際に反転するのか否か不明であるが、燃費の悪化を考慮しつつ切り返し操舵により旋回方向が反転すると見込んで、今の前側の旋回内輪に予備ブレーキ圧制御を開始する。その旋回方向が反転するとの見込みは、運転者の切り返し操舵、つまり逆向きの操舵操作を契機にして行う。
【００４４】
その予備ブレーキ圧（以下、「見込み予備ブレーキ圧」ともいう。）とは、例えば制御対象輪の回転速度を明らかに低下させることのないブレーキ液圧、換言するならばそれ以上大きなブレーキ液圧を加えたときにそのブレーキ液圧に応じた制動制御量を応答性良く発生させることのできるブレーキ液圧のことである。この見込み予備ブレーキ圧は、ブレーキアクチュエータ３５を制御することによって出力させる。
【００４５】
例えば、車両挙動制御装置は、図３のフローチャートに示すように、先ず、スピン制御の実行許可条件が成立しているのか否かを判定する（ステップＳＴ１）。この判定は、オーバーステアを抑える制御の実行が必要なのか否かを決めるものであり、この制御における周知の実行許可条件に当て嵌めて行えばよい。例えば、車両挙動制御装置は、ヨーモーメントが所定の閾値よりも大きいときに、スピン制御の実行許可条件が成立していると判定する。
【００４６】
車両挙動制御装置は、スピン制御の実行許可条件が成立していれば、スピン制御の為の各車輪ＷＦＬ，ＷＦＲ，ＷＲＬ，ＷＲＲの目標制動制御量（目標車輪制動トルク、目標車輪制動力）を設定する（ステップＳＴ２）。スピン制御においては、前述したように、前後の旋回外輪の内の少なくとも一方に制動力を発生させるので、制動力を発生させる制御対象輪（前後の旋回外輪の内の少なくとも一方）の目標制動制御量を正の値に設定し、制動力を発生させない前後の旋回内輪の目標制動制御量を０に設定する。ここでは、前側の旋回外輪の目標制動制御量ＦＦｏｕｔ０をＡ（＞０）、後側の旋回外輪の目標制動制御量ＦＲｏｕｔ０をＢ（＞０）、前側の旋回内輪の目標制動制御量ＦＦｉｎ０を０、後側の旋回内輪の目標制動制御量ＦＲｉｎ０を０に設定している。
【００４７】
車両挙動制御装置は、スピン制御の実行に伴い後側の旋回外輪にも制動制御量ＦＲｏｕｔを発生させているのか否かを判定する（ＦＲｏｕｔ＞０？）（ステップＳＴ３）。ここでは後側の旋回外輪の目標制動制御量ＦＲｏｕｔ０をＢ（＞０）に設定しているので、車両挙動制御装置は、制動制御量ＦＲｏｕｔの発生と共に、予備ブレーキ圧制御開始フラグＦｓを立てる（Ｆｓ＝ＯＮ）（ステップＳＴ４）。これにより、車両挙動制御装置は、次に旋回外輪となる可能性のある前側の旋回内輪に見込み予備ブレーキ圧を加える。
【００４８】
一方、この車両挙動制御装置は、後側の旋回外輪に制動制御量ＦＲｏｕｔを発生させていなければ、予備ブレーキ圧制御開始フラグＦｓを降ろす（Ｆｓ＝ＯＦＦ）（ステップＳＴ５）。
【００４９】
以下、この予備ブレーキ圧制御の具体例について説明する。
【００５０】
車両挙動制御装置は、予備ブレーキ圧制御モードＭを見込み予備ブレーキ圧制御モードＭ１又は通常予備ブレーキ圧制御モードＭ３に設定し、その何れかの制御モードでの予備ブレーキ圧制御を実行する。更に、この車両挙動制御装置は、見込み予備ブレーキ圧制御モードＭ１での見込み予備ブレーキ圧を印加させないときに、予備ブレーキ圧制御モードＭを予備ブレーキ圧オフモードＭ１ｏｆｆに設定する。また、この車両挙動制御装置は、通常予備ブレーキ圧制御モードＭ３での予備ブレーキ圧（以下、「通常予備ブレーキ圧」ともいう。）を印加させないときに、予備ブレーキ圧制御モードＭを予備ブレーキ圧オフモードＭ３ｏｆｆに設定する。
【００５１】
その見込み予備ブレーキ圧制御モードＭ１とは、先に図３のフローチャートを用いて説明した見込み予備ブレーキ圧の制御モードのことであり、特に素早い切り返し操舵が行われた際の予備ブレーキ圧制御やスピン制御の制御応答性を高める為のものである。従って、この見込み予備ブレーキ圧制御モードＭ１においては、見込み予備ブレーキ圧の加わっている状態でブレーキ液圧を上昇させた際に、直ぐに制動制御量が発生するように、見込み予備ブレーキ圧の大きさが設定されている。この見込み予備ブレーキ圧制御モードＭ１では、後側の旋回外輪にスピン制御の為の制動制御量ＦＲｏｕｔが発生しているときで、且つ、切り返し操舵が行われていると見込まれたときに、その制動制御量ＦＲｏｕｔの出力と共に前側の旋回内輪に見込み予備ブレーキ圧を加える。但し、その見込みの切り返し操舵には、素早い切り返し操舵だけでなく、これよりもゆっくりと行われる切り返し操舵も含まれている。
【００５２】
この見込み予備ブレーキ圧制御モードＭ１としては、右前輪ＷＦＲの制動装置３７ＦＲに見込み予備ブレーキ圧を印加する見込み右前輪制御モードＭ１ＦＲと、左前輪ＷＦＬの制動装置３７ＦＬに見込み予備ブレーキ圧を印加する見込み左前輪制御モードＭ１ＦＬと、が用意されている。
【００５３】
この車両挙動制御装置は、見込み右前輪制御モードＭ１ＦＲを設定した際に、ブレーキアクチュエータ３５を制御して右前輪ＷＦＲに見込み予備ブレーキ圧を印加する。その際、車両挙動制御装置は、ブレーキアクチュエータ３５において、右前輪ＷＦＲに係るマスタカット弁４２と減圧弁５８を閉弁させると共に保持弁５０を開弁させ、且つ、見込み予備ブレーキ圧が右前輪ＷＦＲの制動装置３７ＦＲに加わるように電動機６８と加圧ポンプ６９を駆動させる。その際のブレーキアクチュエータ３５は、他の車輪ＷＦＬ，ＷＲＬ，ＷＲＲに係るマスタカット弁４３と保持弁５１，５２，５３と減圧弁５９，６０，６１が閉弁され、他の車輪ＷＦＬ，ＷＲＬ，ＷＲＲに制動制御量が働かない（つまり見込み予備ブレーキ圧が加わらない）ように制御されている。
【００５４】
また、この車両挙動制御装置は、見込み左前輪制御モードＭ１ＦＬを設定した際に、ブレーキアクチュエータ３５を制御して左前輪ＷＦＬに見込み予備ブレーキ圧を印加する。その際、車両挙動制御装置は、ブレーキアクチュエータ３５において、左前輪ＷＦＬに係るマスタカット弁４３と減圧弁６１を閉弁させると共に保持弁５３を開弁させ、且つ、見込み予備ブレーキ圧が左前輪ＷＦＬの制動力発生手段３７ＦＬに加わるように電動機６８と加圧ポンプ７０を駆動させる。その際のブレーキアクチュエータ３５は、他の車輪ＷＦＲ，ＷＲＬ，ＷＲＲに係るマスタカット弁４２と保持弁５０，５１，５２と減圧弁５８，５９，６０が閉弁され、他の車輪ＷＦＲ，ＷＲＬ，ＷＲＲに制動力が働かない（見込み予備ブレーキ圧が加わらない）ように制御されている。
【００５５】
一方、通常予備ブレーキ圧制御モードＭ３とは、従来の予備ブレーキ圧の制御モードに相当するものであり、例えば見込み予備ブレーキ圧制御モードＭ１で発生させる見込み予備ブレーキ圧よりも低い予備ブレーキ圧を印加することのできる制御モードである。この通常予備ブレーキ圧制御モードＭ３には、マスタ弁閉じモードＭ３ａとモータ駆動モードＭ３ｂとが用意されている。
【００５６】
マスタ弁閉じモードＭ３ａは、通常予備ブレーキ圧を印加する制御対象輪のマスタカット弁４２（４３）と減圧弁５８（５９，６０，６１）を閉弁すると共に、その制御対象輪の保持弁５０（５１，５２，５３）を開弁し、且つ、電動機６８と加圧ポンプ７０を駆動させることで、その制御対象輪に通常予備ブレーキ圧を加えるモードのことである。
【００５７】
モータ駆動モードＭ３ｂは、そのマスタ弁閉じモードＭ３ａに対して制御対象輪のマスタカット弁４２（４３）を開弁させたものであり、マスタ弁閉じモードＭ３ａよりも弱い通常予備ブレーキ圧を発生させる。
【００５８】
また、この車両挙動制御装置は、予備ブレーキ圧オフモードＭ１ｏｆｆ，Ｍ３ｏｆｆを設定した際に、ブレーキアクチュエータ３５を制御して各車輪ＷＦＬ，ＷＦＲ，ＷＲＬ，ＷＲＲに制動力が働かない（予備ブレーキ圧が加わらない）ようにする。その際、車両挙動制御装置は、ブレーキアクチュエータ３５において、少なくとも電動機６８と加圧ポンプ６９，７０を駆動させないように制御する。
【００５９】
以下、本実施例の車両挙動制御装置の演算処理動作（予備ブレーキ圧制御）の具体例を図４及び図５のフローチャートに基づいて詳述する。
【００６０】
先ず、図４のフローチャートに示す如く、車両挙動制御装置は、予備ブレーキ圧制御の実行を許可して良いのか否かの判断を行う（ステップＳＴ１０）。このステップＳＴ１０の判断は、予備ブレーキ圧制御の実行に支障があるのか否かを観るものである。例えば、このステップＳＴ１０においては、非制動中であり、且つ、ＡＢＳ制御やＶＳＣ制御等に必要な制動システムやセンサが正常に機能しているときに「予備ブレーキ圧制御の実行を許可する」との判断を行う。
【００６１】
車両挙動制御装置は、予備ブレーキ圧制御の実行が許可されていなければ、予備ブレーキ圧制御モードＭを予備ブレーキ圧オフモードＭ１ｏｆｆに設定する（ステップＳＴ１５）。一方、この車両挙動制御装置は、予備ブレーキ圧制御の実行が許可されていれば、予備ブレーキ圧制御モードＭが予備ブレーキ圧オフモードＭ１ｏｆｆに設定されているのか否かを判定する（ステップＳＴ２０）。尚、初期状態（イグニッションＯＮの後で一度も予備ブレーキ圧制御が実行されていない状態）においては、予備ブレーキ圧制御モードＭが予備ブレーキ圧オフモードＭ１ｏｆｆに設定されているものとする。
【００６２】
車両挙動制御装置は、予備ブレーキ圧オフモードＭ１ｏｆｆに設定されていない場合、後述するステップＳＴ７０に進む。これに対して、この車両挙動制御装置は、予備ブレーキ圧オフモードＭ１ｏｆｆが設定されている場合、前述したステップＳＴ１と同様に、スピン制御の実行許可条件が成立しているのか否かを判定する（ステップＳＴ２５）。
【００６３】
車両挙動制御装置は、スピン制御の実行許可条件が成立していなければ、後述するステップＳＴ７０に進む。これに対して、この車両挙動制御装置は、スピン制御の実行許可条件が成立していれば、前述したステップＳＴ２と同様に、スピン制御の為の各車輪ＷＦＬ，ＷＦＲ，ＷＲＬ，ＷＲＲの目標制動制御量を設定する（ステップＳＴ３０）。そして、この車両挙動制御装置は、そのスピン制御の実行に伴って、後側の旋回外輪に制動制御量ＦＲｏｕｔを発生させているのか否かを判定する（ＦＲｏｕｔ＞０？）（ステップＳＴ３５）。
【００６４】
車両挙動制御装置は、その制動制御量ＦＲｏｕｔを発生させていれば、車両１０が右旋回中で、且つ、その際の操舵角速度ωｓｔｒが正の値なのか否か、つまり右旋回中に逆方向（反時計回りの方向）にステアリングホイール２１が操舵操作されたのか否かの判定を行う（ステップＳＴ４０）。
【００６５】
そして、右旋回中で且つ操舵角速度ωｓｔｒが正の値の場合、この車両挙動制御装置は、予備ブレーキ圧制御モードＭを見込み右前輪制御モードＭ１ＦＲに設定し、今の前側の旋回内輪である右前輪ＷＦＲに見込み予備ブレーキ圧を印加する（ステップＳＴ４５）。即ち、車両挙動制御装置は、右旋回中に当該旋回方向とは逆向きの操舵操作が為された場合、その逆向きの操舵操作がステアリングセンタへの戻し操作であるのかステアリングセンタを超える切り返し操舵であるのか判別し難いが、切り返し操舵であると見込んで、その切り返し操舵による旋回方向の反転に伴い次の前側の旋回外輪になる右前輪ＷＦＲに見込み予備ブレーキ圧を加える。車両挙動制御装置は、この後、後述するステップＳＴ７０に進む。
【００６６】
これに対して、右旋回中で且つ操舵角速度ωｓｔｒが正の値でない場合、この車両挙動制御装置は、車両１０が左旋回中で、且つ、その際の操舵角速度ωｓｔｒが負の値なのか否か、つまり左旋回中に逆方向（時計回りの方向）にステアリングホイール２１が操舵操作されたのか否かを判定する（ステップＳＴ５０）。
【００６７】
この車両挙動制御装置は、左旋回中で且つ操舵角速度ωｓｔｒが負の値の場合、予備ブレーキ圧制御モードＭを見込み左前輪制御モードＭ１ＦＬに設定し、今の前側の旋回内輪である左前輪ＷＦＬに見込み予備ブレーキ圧を印加する（ステップＳＴ５５）。即ち、車両挙動制御装置は、左旋回中に当該旋回方向とは逆向きの操舵操作が為された場合、ここでも、その逆向きの操舵操作がステアリングセンタへの戻し操作であるのかステアリングセンタを超える切り返し操舵であるのか判別し難いが、切り返し操舵であると見込んで、その切り返し操舵による旋回方向の反転に伴い次の前側の旋回外輪になる左前輪ＷＦＬに見込み予備ブレーキ圧を加える。車両挙動制御装置は、この後、後述するステップＳＴ７０に進む。
【００６８】
そのステップＳＴ５０で否定判定された場合、運転者が切り返し操舵を行っていないことは明らかなので、車両挙動制御装置は、後述するステップＳＴ７０に進む。
【００６９】
一方、後側の旋回外輪にスピン制御の為の制動制御量ＦＲｏｕｔが発生していない場合、車両挙動制御装置は、検出された操舵角度δの絶対値が所定の閾値Ｔｈδ（＞０）よりも小さく、且つ算出された操舵角速度ωｓｔｒの絶対値が所定の閾値Ｔｈωｓｔｒ２（＞０）よりも小さいのか、それとも算出されたヨー角加速度αｙの絶対値が所定の閾値Ｔｈαｙ２（＞０）よりも小さいのかについて判定する（ステップＳＴ６０）。このステップＳＴ６０においては、操舵角度δの絶対値が所定の閾値Ｔｈδよりも小さく且つ操舵角速度ωｓｔｒの絶対値が所定の閾値Ｔｈωｓｔｒ２よりも小さいとき、又は操舵角度δの絶対値が所定の閾値Ｔｈδよりも小さく且つヨー角加速度αｙの絶対値が所定の閾値Ｔｈαｙ２よりも小さいときに肯定判定が為され、それ以外のときに否定判定が為される。
【００７０】
このステップＳＴ６０で肯定判定されたときには、ステアリングセンタへのステアリングホイール２１の戻し操作であると判断させる。これが為、このときの車両挙動制御装置は、予備ブレーキ圧制御モードＭを予備ブレーキ圧オフモードＭ１ｏｆｆに設定し（ステップＳＴ６５）、後述するステップＳＴ７０に進む。これに対して、ステップＳＴ６０で否定判定されたときには、例えば操舵角速度ωｓｔｒが速く、切り返し操舵が行われる可能性もあるので、予備ブレーキ圧オフモードＭ１ｏｆｆを設定せずに、ステップＳＴ７０に進む。
【００７１】
車両挙動制御装置は、図４のフローチャートにおける演算処理を終えた後、図５のフローチャートに示す如く、前回の予備ブレーキ圧制御モードＭ２が予備ブレーキ圧オフモードＭ１ｏｆｆではなく、且つ、今回の予備ブレーキ圧制御モードＭが予備ブレーキ圧オフモードＭ１ｏｆｆであるのかの判定を行う（ステップＳＴ７０）。このステップＳＴ７０では、前回の予備ブレーキ圧制御モードＭ２が見込み右前輪制御モードＭ１ＦＲ又は見込み左前輪制御モードＭ１ＦＬであり、且つ、今回の予備ブレーキ圧制御モードＭが予備ブレーキ圧オフモードＭ１ｏｆｆであれば、肯定判定を行い、それ以外であれば、否定判定を行う。例えば、このステップＳＴ７０においては、見込み予備ブレーキ圧制御モードＭ１の設定が１度目のとき（つまり前回の予備ブレーキ圧制御モードＭ２が決まっていないとき）や、見込み予備ブレーキ圧制御の継続中（前回の予備ブレーキ圧制御モードＭ２も今回の予備ブレーキ圧制御モードＭも見込み予備ブレーキ圧制御モードＭ１であるとき）に否定判定が為される。
【００７２】
このステップＳＴ７０において肯定判定された場合とは、見込み予備ブレーキ圧制御が１回実行され、その次の操舵操作がステアリングセンタへのステアリングホイール２１の戻し操作と判断可能な場合である。これが為、車両挙動制御装置は、前回の予備ブレーキ圧制御モードＭ２が予備ブレーキ圧オフモードＭ１ｏｆｆではなく、且つ、今回の予備ブレーキ圧制御モードＭが予備ブレーキ圧オフモードＭ１ｏｆｆである場合、見込み予備ブレーキ圧制御１回作動フラグ（以下、「見込み作動フラグ」という。）Ｆ１を立てる（Ｆ１＝ＯＮ）（ステップＳＴ７５）。その見込み作動フラグＦ１とは、見込み予備ブレーキ圧制御の実行が１回終わったことを表すものである。
【００７３】
続いて、この車両挙動制御装置は、上記ステップＳＴ７０で否定判定した後又は上記ステップＳＴ７５で見込み作動フラグＦ１を立てた後、見込み作動フラグＦ１が立っているのか否かの判定を行う（ステップＳＴ８０）。このステップＳＴ８０では、上記ステップＳＴ７５を経ていれば肯定判定が為され、上記ステップＳＴ７０で否定判定された場合、例えば見込み右前輪制御モードＭ１ＦＲ又は見込み左前輪制御モードＭ１ＦＬが設定されているならば、否定判定が為される。
【００７４】
車両挙動制御装置は、見込み作動フラグＦ１が立っている場合、その見込み作動フラグＦ１の立っている時間（以下、「見込み作動フラグ経過時間」という。）Ｃ１をカウントする（Ｃ１＝Ｃ１＋１）（ステップＳＴ８５）。
【００７５】
続いて、この車両挙動制御装置は、上記ステップＳＴ８０で否定判定した後又は上記ステップＳＴ８５で見込み作動フラグ経過時間Ｃ１をカウントした後、見込み作動フラグ経過時間Ｃ１が所定時間Ｔ１を超えたのか否かについての判定を行う（ステップＳＴ９０）。その所定時間Ｔ１とは、見込み予備ブレーキ圧制御の実行を禁止する最大の時間である。つまり、このステップＳＴ９０の判定は、見込み予備ブレーキ圧制御が１回実行され、その次にステアリングセンタへのステアリングホイール２１の戻し操作が行われた場合に、見込み作動フラグ経過時間Ｃ１が所定時間Ｔ１を超えるまで見込み予備ブレーキ圧制御の実行を禁止させる為のものである。このステップＳＴ９０では、上記ステップＳＴ８５でカウントされた見込み作動フラグ経過時間Ｃ１が所定時間Ｔ１を超えていないときだけでなく、上記ステップＳＴ８０で見込み作動フラグＦ１が立っていないと判定されたとき、例えば予備ブレーキ圧制御モードＭが見込み右前輪制御モードＭ１ＦＲ又は見込み左前輪制御モードＭ１ＦＬに設定されているときにも否定判定が為される。
【００７６】
車両挙動制御装置は、見込み作動フラグ経過時間Ｃ１が所定時間Ｔ１を超えた場合、見込み作動フラグＦ１を下ろす（Ｆ１＝ＯＦＦ）と共に見込み作動フラグ経過時間Ｃ１をリセットする（Ｃ１＝０）（ステップＳＴ９５）。これにより、ステアリングセンタへのステアリングホイール２１の戻し操作の後で切り返し操舵が再び行われたときに、一定時間（＝所定時間Ｔ１）禁止させていた見込み予備ブレーキ圧制御を再度実行させることができる。
【００７７】
続いて、車両挙動制御装置は、上記ステップＳＴ９０で否定判定された後又は上記ステップＳＴ９５を経た後、前回の予備ブレーキ圧制御モードＭ２として今回の予備ブレーキ圧制御モードＭを当てはめる（Ｍ２←Ｍ）（ステップＳＴ１００）。
【００７８】
そして、この車両挙動制御装置は、その新たに設定した前回の予備ブレーキ圧制御モードＭ２が予備ブレーキ圧オフモードＭ１ｏｆｆではなく、且つ、見込み作動フラグＦ１が下ろされているのかの判定を行う（ステップＳＴ１０５）。
【００７９】
車両挙動制御装置は、前回の予備ブレーキ圧制御モードＭ２が予備ブレーキ圧オフモードＭ１ｏｆｆで、且つ、見込み作動フラグＦ１が下ろされている場合、予備ブレーキ圧制御モードＭをマスタ弁閉じモードＭ３ａに設定し、今の前後の旋回内輪の内の少なくとも一方にマスタ弁閉じモードＭ３ａによる通常予備ブレーキ圧を印加する（ステップＳＴ１１０）。
【００８０】
これに対して、ステップＳＴ１０５で否定判定を行った場合、車両挙動制御装置は、通常予備ブレーキ圧制御１回作動フラグ（以下、「通常作動フラグ」という。）Ｆ２が立っているのか否かの判定を行う（ステップＳＴ１１５）。その通常作動フラグＦ２とは、通常予備ブレーキ圧制御の実行が１回終わったことを表すものであり、例えば通常予備ブレーキ圧制御を終えた時点で立てられる。
【００８１】
車両挙動制御装置は、通常作動フラグＦ２が立っている場合、その通常作動フラグＦ２の立っている時間（以下、「通常作動フラグ経過時間」という。）Ｃ２をカウントする（Ｃ２＝Ｃ２＋１）（ステップＳＴ１２０）。そして、この車両挙動制御装置は、その通常作動フラグ経過時間Ｃ２が所定時間Ｔ２よりも短いのか否かについての判定を行う（ステップＳＴ１２５）。その所定時間Ｔ２とは、通常予備ブレーキ圧制御の実行を継続させる最大の時間である。
【００８２】
車両挙動制御装置は、通常作動フラグ経過時間Ｃ２が所定時間Ｔ２よりも短い場合、ステップＳＴ１１０に進み、通常予備ブレーキ圧制御モードＭ３の中でも高い通常予備ブレーキ圧の印加が可能なマスタ弁閉じモードＭ３ａに予備ブレーキ圧制御モードＭを設定し、今の前後の旋回内輪の内の少なくとも一方にマスタ弁閉じモードＭ３ａによる通常予備ブレーキ圧を印加する。
【００８３】
これに対して、車両挙動制御装置は、通常作動フラグ経過時間Ｃ２が所定時間Ｔ２以上になった場合、マスタ弁閉じモードＭ３ａよりも通常予備ブレーキ圧が低いモータ駆動モードＭ３ｂに予備ブレーキ圧制御モードＭを設定し、今の前後の旋回内輪の内の少なくとも一方にモータ駆動モードＭ３ｂによる通常予備ブレーキ圧を印加する（ステップＳＴ１３０）。
【００８４】
一方、車両挙動制御装置は、通常作動フラグＦ２が立っていない場合、予備ブレーキ圧制御モードＭを予備ブレーキ圧オフモードＭ３ｏｆｆに設定する（ステップＳＴ１３５）。
【００８５】
この車両挙動制御装置は、今とは逆向きのステアリングセンタを超えた操舵操作を運転者が行って、車体の旋回方向が反転した場合に、スピン制御が必要な車両の挙動であれば、予備ブレーキ圧の加わっている新たな旋回外輪にスピン制御の為の目標制動制御量を応答性良く発生させることができる。特に、この車両挙動制御装置においては、今の旋回動作におけるスピン制御の為の後側の旋回外輪の制動制御の開始と共に、旋回方向の反転によって次に旋回外輪となる可能性のある前側の旋回内輪に見込み予備ブレーキ圧を印加する。つまり、この車両挙動制御装置においては、車体の旋回方向が実際に反転する前に、その前側の旋回内輪に対して見込み予備ブレーキ圧を加えておくことができる。故に、この車両挙動制御装置に依れば、その今の旋回状態からの切り返し操舵が急操舵等の素早い予備ブレーキ圧の出力が必要とされるものであっても、車体が次の逆向きの旋回動作に移る前に素早く予備ブレーキ圧を印加できる。従って、この車両挙動制御装置に依れば、旋回方向反転後の新たな前側の旋回外輪に応答性良く目標制動制御量を発生させることができるので、スピン制御の制御性能を向上させることができる。
【００８６】
更に、この車両挙動制御装置においては、運転者の逆方向の操舵操作に伴う車両の挙動を観ず、その逆方向の操舵操作がステアリングセンタを超える切り返し操舵であるのかステアリングセンタまでの戻し操作であるのかが明らかでない状態で、前側の旋回内輪に見込み予備ブレーキ圧制御を行うので、その見込み予備ブレーキ圧制御が不要な場合もある。しかしながら、スピン制御においては、例えば運転者の逆方向の操舵操作の操作量（操舵角速度等）が切り返し操舵に該当しないものであることが判った場合、スピン制御の為に後側の旋回外輪に発生させていた制動制御量ＦＲｏｕｔを０にする。従って、この場合には、上記ステップＳＴ３５で「ＮＯ」となり、また、上記ステップＳＴ６０で「ＹＥＳ」となるので、予備ブレーキ圧制御モードＭが予備ブレーキ圧オフモードＭ１ｏｆｆに設定され、前側の旋回内輪への見込み予備ブレーキ圧制御が中止される。故に、この車両挙動制御装置に依れば、見込み予備ブレーキ圧制御が不要な場合、見込み予備ブレーキ圧の印加後すぐに見込み予備ブレーキ圧制御が中止になり、不要な見込み予備ブレーキ圧制御を短時間で終わらせることができるので、見込み予備ブレーキ圧制御を要するときの上記の制御応答性を確保しつつ、不要なときの例えば燃費の悪化等を低く抑えることができる。
【００８７】
また、この車両挙動制御装置においては、後側の旋回外輪にスピン制御の為の制動制御量を発生させる頻度が低いので、旋回方向反転前の後側の旋回内輪に見込み予備ブレーキ圧制御を行わず、前側の旋回内輪にのみ見込み予備ブレーキ圧制御を行う。従って、この車両挙動制御装置に依れば、不要な見込み予備ブレーキ圧制御の為のブレーキアクチュエータ３５の作動頻度の増加を抑えることができる。尚、後側の旋回外輪に対してスピン制御の為の制動制御量を発生させる頻度が高い場合には、前後の旋回内輪に対して各々見込み予備ブレーキ圧制御を行ってもよい。
【符号の説明】
【００８８】
１  電子制御装置（ＥＣＵ）
１０  車両
２１  ステアリングホイール
２５  操舵操作量検出装置
３５  ブレーキアクチュエータ
３７ＦＬ，３７ＦＲ，３７ＲＬ，３７ＲＲ  制動装置
ＷＦＬ，ＷＦＲ，ＷＲＬ，ＷＲＲ  車輪
【図１】
2013028201.tif 000003
【図２】
2013028201.tif 000004
【図３】
2013028201.tif 000005
【図４】
2013028201.tif 000006
【図５】
2013028201.tif 000007